(57)【要約】【課題】段積みに起因する側壁部の変形を抑制することのできる折畳み容器を提供する。【解決手段】折畳み容器１の長辺側側壁部６は、折畳み容器１の組立状態において長辺側側壁部６の内面を構成する略平板状の長辺側ベース板１１と、長辺側ベース板１１の上辺部に沿って延び、長辺側ベース板１１の上辺部から外方に突出する長辺側上フランジ１２と、長辺側ベース板１１の両方の側辺部に沿って延び、長辺側ベース板１１から外方に突出するとともに、長辺側側壁部６の内面側に開口する横断面略コ字状の補強リブ４１とを備えている。長辺側上フランジ１２のうち、長辺側側壁部６の横幅方向中央部を含む補強リブ４１間の部位である中間構成部位５１は、当該中間構成部位５１の両側方の部位であり、補強リブ４１の上方に位置する補強対応部位５２の上支持部５３よりも、高さ位置が低く構成されている。【選択図】      図１
2016199296.tif 000002
【特許請求の範囲】
【請求項１】
平面視略矩形板状をなす底壁構成部と、
前記底壁構成部の各側辺部に対応して、前記底壁構成部の各側辺部の上方に立設される起立位置と、前記底壁構成部の中央部側に畳まれる寝かせ位置との間を回動可能に設けられた側壁部とを備える折畳み容器において、
前記側壁部のうち、前記底壁構成部の各長側辺部に対応して設けられた長辺側側壁部は、
全ての前記側壁部が前記起立位置とされた折畳み容器の組立状態において前記長辺側側壁部の内面を構成する略平板状のベース板と、
前記ベース板の上辺部に沿って延び、前記ベース板の上辺部から外方に突出する上フランジと、
前記ベース板の両方の側辺部に沿って延び、前記ベース板から外方に突出するとともに、前記長辺側側壁部の内面側に開口する横断面略コ字状の補強リブとを備え、
前記上フランジのうち、前記長辺側側壁部の横幅方向中央部を含む前記補強リブ間の部位である中間構成部位は、前記組立状態にある折畳み容器を積み重ねた状態において、上側に重ねられた折畳み容器の前記底壁構成部から下方に離間するように構成され、
前記上フランジのうち、前記中間構成部位の両側方の部位であり、前記補強リブの上方に位置する補強対応部位は、前記組立状態にある折畳み容器を積み重ねた状態において、上側に重ねられた折畳み容器の前記底壁構成部と当接して、前記上側に重ねられた折畳み容器を支持するように構成され、
前記各補強対応部位は、前記中間構成部位よりも高さ位置が高く構成された上支持部を備えていることを特徴とする折畳み容器。
【請求項２】
前記各補強リブは、前記長辺側側壁部の高さ方向に沿って延び、前記ベース板から外方に突出する一対の縦リブと、前記一対の縦リブの突出方向先端部間を連結する連結リブとを備え、
前記上フランジは、前記補強対応部位の前記上支持部と、前記中間構成部位との間を連結する連結部を備え、
前記連結部は、前記補強対応部位から下方に向けて前記長辺側側壁部の横幅方向中央部側に傾斜して延び、
前記長辺側側壁部の横幅方向において、前記連結部の前記上支持部との連接部の位置は、前記補強リブの前記一対の縦リブのうち、前記長辺側側壁部の横幅方向中央部側の前記縦リブである内側リブの前記長辺側側壁部の横幅方向中央部側の面と同じ位置、又は、それよりも前記長辺側側壁部の横幅方向中央部側に位置していることを特徴とする請求項１に記載の折畳み容器。
【請求項３】
前記中間構成部位の下方位置において、前記長辺側側壁部の高さ方向に延び、前記ベース板から外方に突出するとともに、前記長辺側側壁部の内面側に開口する横断面略コ字状の中間リブを備えていることを特徴とする請求項１又は２に記載の折畳み容器。
【発明の詳細な説明】
【技術分野】
【０００１】
本発明は、物品の運搬等に使用される折畳み容器に関するものである。
【背景技術】
【０００２】
従来、略矩形板状をなす底壁部と、底壁部の各側辺部に沿ってそれぞれ上方に突出する土台部とを具備する底壁構成部と、各土台部に対してそれぞれ回動可能に連結された側壁部とを備え、上方に開口する箱型に組立可能に構成されるとともに、各側壁部を底壁部の上方に折畳むことのできる折畳み容器が知られている。また、物品の運搬や保管に際しての効率の向上、及び、物品を収容していない折畳み容器自体の運搬や保管に際しての効率の向上を図るべく、折畳み容器同士を上下に安定的に積み重ねる（段積みする）ことができるように構成されている。
【０００３】
より具体的には、底壁部から下方に突出して折畳み容器を支持する支持リブは、組立状態にある折畳み容器同士を段積みした場合に、下側の折畳み容器の側壁部の内周側に挿入される（略嵌合する）ようにして設けられている。そして、組立状態にある折畳み容器を段積みした場合には、上側の折畳み容器の支持リブが、下側の折畳み容器の側壁部の内周側に挿入されるとともに、上側の折畳み容器の底壁部外周部位が、下側の折畳み容器の側壁部の上辺部に当接して支持されるように構成されている（例えば、特許文献１等参照。）。
【先行技術文献】
【特許文献】
【０００４】
【特許文献１】特開２００４−７５１６６号公報
【発明の概要】
【発明が解決しようとする課題】
【０００５】
ところで、組立状態にある折畳み容器同士を段積みする構造としては、上側の折畳み容器を支持することとなる下側の折畳み容器の側壁部が変形してしまうといった問題点がある。特に、短辺側側壁部よりも横幅が広い長辺側側壁部の横幅方向中央部付近の部位は、折畳み容器のなかでも変形し易い部位であって、かかる部位に変形が生じることによって、結果的に、長辺側側壁部全体が変形してしまうことが懸念される。このように側壁部が変形してしまうと、段積み状態の不安定化を招いてしまったり、側壁部の外面側に取着されたラベルが外れたり、見え難くなってしまったりする等の不具合を招くことが懸念される。また、側壁部が塑性変形してしまった場合には、折畳み容器を折畳むことができなくなってしまったり、折畳めたとしても、側壁部の変形に起因して、折畳み状態にある折畳み容器の段積みを行うことができなくなってしまったりすることが懸念される。
【０００６】
本発明は、上記例示した問題点等を解決するためになされたものであって、その目的は、段積みに起因する側壁部の変形を抑制することのできる折畳み容器を提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．平面視略矩形板状をなす底壁構成部と、
前記底壁構成部の各側辺部に対応して、前記底壁構成部の各側辺部の上方に立設される起立位置と、前記底壁構成部の中央部側に畳まれる寝かせ位置との間を回動可能に設けられた側壁部とを備える折畳み容器において、
前記側壁部のうち、前記底壁構成部の各長側辺部に対応して設けられた長辺側側壁部は、
全ての前記側壁部が前記起立位置とされた折畳み容器の組立状態において前記長辺側側壁部の内面を構成する略平板状のベース板と、
前記ベース板の上辺部に沿って延び、前記ベース板の上辺部から外方に突出する上フランジと、
前記ベース板の両方の側辺部に沿って延び、前記ベース板から外方に突出するとともに、前記長辺側側壁部の内面側に開口する横断面略コ字状の補強リブとを備え、
前記上フランジのうち、前記長辺側側壁部の横幅方向中央部を含む前記補強リブ間の部位である中間構成部位は、前記組立状態にある折畳み容器を積み重ねた状態において、上側に重ねられた折畳み容器の前記底壁構成部から下方に離間するように構成され、
前記上フランジのうち、前記中間構成部位の両側方の部位であり、前記補強リブの上方に位置する補強対応部位は、前記組立状態にある折畳み容器を積み重ねた状態において、上側に重ねられた折畳み容器の前記底壁構成部と当接して、前記上側に重ねられた折畳み容器を支持するように構成され、
前記各補強対応部位は、前記中間構成部位よりも高さ位置が高く構成された上支持部を備えていることを特徴とする折畳み容器。
【０００９】
手段１によれば、組立状態にある折畳み容器同士を上下に積み重ねた（段積みした）場合に、下側の折畳み容器の長辺側側壁部の中間構成部位と、上側の折畳み容器の底壁構成部との間に隙間を形成することができる。その一方で、長辺側側壁部の両側部位には、ベース板の両方の側辺部に沿って延び、ベース板から外方に突出するとともに、長辺側側壁部の内面側に開口する横断面略コ字状の補強リブが設けられている。
【００１０】
従って、組立状態にある折畳み容器を段積みした場合に、上側の折畳み容器から長辺側側壁部に掛けられた荷重を、補強対応部位及び補強リブで確実に支持することができるとともに、長辺側側壁部の横幅方向中央部付近に応力が作用してしまうといった事態を防止することができる。結果として、組立状態にある折畳み容器を段積みした状態における長辺側側壁部の変形を防止することができ、長辺側側壁部の変形に起因して、折畳み容器の段積み状態の不安定化を招いてしまったり、長辺側側壁部の外面側に取着されたラベルが外れたり、見え難くなってしまったりする等の不具合を回避することができる。さらに、長辺側側壁部の塑性変形に起因して、折畳み容器を折畳むことができなくなってしまったり、折畳めたとしても、長辺側側壁部の変形に起因して、折畳み状態にある折畳み容器の段積みを行うことができなくなってしまったりする等の不具合を払拭することができる。
【００１１】
尚、底壁構成部の各短側辺部に対応して設けられた短辺側側壁部よりも横幅が広い長辺側側壁部の横幅方向中央部付近の部位は、短辺側側壁部との連結部位から離れているため、折畳み容器のなかでも変形し易い部位（ウイークポイント）であると言える。この点、上記手段１のように、長辺側側壁部に作用する荷重を長辺側側壁部の両側部位（ストロングポイント）で受けきってしまい、長辺側側壁部の横幅方向中央部を含む部位に応力が作用することを抑制することによって、長辺側側壁部の横幅方向中央部を含む部位の変形、ひいては、長辺側側壁部全体の変形を防止することができる。
【００１２】
また、補強リブは、長辺側側壁部の内面側に開口する横断面コ字状に構成されていることから、例えば、ベース板の外面から外方に突出するリブのみを設けるような場合に比べ、ベース板の外面から外方に突出するリブの先端部側の変形をより確実に抑止することができる。従って、補強リブやその周辺部の剛性をより一層高めることができ、長辺側側壁部の変形を防止するといった作用効果がより確実に奏されることとなる。
【００１３】
さらに、各補強対応部位が上支持部を備えることにより、組立状態にある折畳み容器を段積みした場合に、下側の折畳み容器の中間構成部位を、上側の折畳み容器の底壁構成部から確実に離間させるとともに、上側の折畳み容器の底壁構成部が、下側の折畳み容器の中間構成部位に圧接するといった事態をより一層抑制することができる。
【００１４】
手段２．前記各補強リブは、前記長辺側側壁部の高さ方向に沿って延び、前記ベース板から外方に突出する一対の縦リブと、前記一対の縦リブの突出方向先端部間を連結する連結リブとを備え、
前記上フランジは、前記補強対応部位の前記上支持部と、前記中間構成部位との間を連結する連結部を備え、
前記連結部は、前記補強対応部位から下方に向けて前記長辺側側壁部の横幅方向中央部側に傾斜して延び、
前記長辺側側壁部の横幅方向において、前記連結部の前記上支持部との連接部の位置は、前記補強リブの前記一対の縦リブのうち、前記長辺側側壁部の横幅方向中央部側の前記縦リブである内側リブの前記長辺側側壁部の横幅方向中央部側の面と同じ位置、又は、それよりも前記長辺側側壁部の横幅方向中央部側に位置していることを特徴とする手段１に記載の折畳み容器。
【００１５】
一般に、折畳み容器の段積み作業に際して、組立状態にある折畳み容器の上側に載せた折畳み容器の水平方向における相対位置が若干ずれた場合、或いは、意図的にずらして載せた場合、上側に載せた折畳み容器を、下側の折畳み容器の側壁部上辺部（上フランジ）に滑らせるようにして、相対位置が合致するまでスライドさせる（スライドスタックする）といったことが行われる。ところが、上フランジにおいて、中間構成部位と、該中間構成部位よりも高い位置にある補強対応部位の上支持部との間に段差が形成される場合には、上記のようなスライドスタックを行おうとしても、組立状態にある下側の折畳み容器の前記段差に対して、上側の折畳み容器の底壁構成部が当接して、それ以上の相対変位が規制されてしまうこと等が懸念される。
【００１６】
これに対し、本手段２によれば、補強対応部位の上支持部と、中間構成部位との間を連結する連結部が傾斜して延びている。このため、底壁構成部の長手方向において相対位置がずれて段積みされた折畳み容器の相対位置を合致させるべく、上側の折畳み容器の底壁構成部を、下側の折畳み容器の長辺側側壁部の上フランジの中間構成部位の上を滑らせるようにしてスライドさせた場合に、上側の折畳み容器の底壁構成部が、下側の折畳み容器の連結部によって斜め上方に案内され、下側の折畳み容器の上支持部の上面にまで比較的スムースに変位させられる。従って、上フランジにおいて、補強対応部位の上支持部と、中間構成部位との間に高低差が設けられる構成においても、スライドスタックを円滑に行うことができ、段積み作業性の向上等を図ることができる。
【００１７】
さらに、補強対応部位の上支持部と、連結部とでなす角度が比較的緩やかになることによって、上支持部と連結部との境界部に対して応力が集中したり、該境界部に対して別の折畳み容器等が衝突して双方が損傷したりすること等を抑制することができ、結果として、耐久性の向上等を図ることができる。
【００１８】
また、手段２によれば、長辺側側壁部の横幅方向において、連結部の上支持部との連接部の位置が、補強リブの内側リブの長辺側側壁部の横幅方向中央部側の面と同じ位置、又は、それよりも長辺側側壁部の横幅方向中央部側に位置している。このため、上支持部に加えられた荷重を、補強リブでより確実に支持することができ、例えば、長辺側側壁部の横幅方向において、上支持部と、連結部との境界部が、補強リブの一対の縦リブ間に位置するような場合に比べて、該境界部付近の変形をより確実に防止することができる。
【００１９】
手段３．前記中間構成部位の下方位置において、前記長辺側側壁部の高さ方向に延び、前記ベース板から外方に突出するとともに、前記長辺側側壁部の内面側に開口する横断面略コ字状の中間リブを備えていることを特徴とする手段１又は２に記載の折畳み容器。
【００２０】
手段３によれば、中間構成部位に対して直接上方からの力が加えられた場合であっても、長辺側側壁部の中央部を含む部位の変形を防止することができる。従って、長辺側側壁部の変形をより確実に防止することができる。
【図面の簡単な説明】
【００２１】
【図１】組立状態にある折畳み容器を上面側から見た斜視図である。
【図２】組立状態にある折畳み容器を下面側から見た斜視図である。
【図３】組立状態にある折畳み容器の一部断面を含む斜視図である。
【図４】段積み状態にある折畳み容器の側面図である。
【図５】図４のＡ−Ａ線で切断した場合の長辺側側壁部の断面図である。
【図６】図４のＢ−Ｂ線で切断した場合の長辺側側壁部及び長辺側土台部等を示す断面図である。
【図７】折畳み容器にラベルを取着した状態を示す斜視図である。
【発明を実施するための形態】
【００２２】
以下に、一実施形態について図面を参照して説明する。図１、図２等に示すように、折畳み容器１は、略矩形板状をなす底壁部３と、底壁部３の各長側辺部に沿って底壁部３からそれぞれ上方に突出する長辺側土台部４と、底壁部３の各短側辺部に沿って底壁部３からそれぞれ上方に突出する短辺側土台部５とを具備する底壁構成部２と、各長辺側土台部４に対してそれぞれ回動可能に設けられた長辺側側壁部６と、各短辺側土台部５に対してそれぞれ回動可能に設けられた短辺側側壁部７とを備えている。本実施形態では、底壁構成部２、長辺側側壁部６、及び、短辺側側壁部７はポリプロピレンにより構成されている。
【００２３】
長辺側側壁部６及び短辺側側壁部７は、それぞれ長辺側土台部４及び短辺側土台部５の上方に立設される起立位置と、底壁部３の上方に畳まれて、当該底壁部３とほぼ平行して延在する寝かせ位置との間を回動変位可能に構成されている。また、本実施形態では、長辺側土台部４の底壁部３からの突出長は、短辺側土台部５の底壁部３からの突出長よりも長くなっており、長辺側側壁部６を回動可能に支持するための長辺側軸受部８の形成位置も、短辺側側壁部７を回動可能に支持するための短辺側軸受部９の形成位置よりも上方に位置している（図１参照）。さらに、各短辺側土台部５は、相対する一対の長辺側土台部４の内面同士を連結するようにして設けられている。そして、全ての長辺側側壁部６及び短辺側側壁部７が寝かせ位置とされる折畳み容器１の折畳み状態では、短辺側側壁部７が、底壁部３の上面に重なる（対面する）ようにして畳まれるとともに、長辺側側壁部６が、短辺側側壁部７の上側に重なるようにして畳まれている。
【００２４】
図１等に示すように、各長辺側側壁部６は、長辺側土台部４の長手方向における長さとほぼ同じ幅を有し、全ての側壁部６、７が起立位置とされて箱型に組立てられた折畳み容器１の組立状態において長辺側側壁部６の内面を構成する略平板状の長辺側ベース板１１と、長辺側ベース板１１の上辺部に沿って延び、長辺側ベース板１１の上辺部から外方に突出する長辺側上フランジ１２と、長辺側ベース板１１の下辺部に沿って延び、長辺側ベース板１１の下辺部から外方に延出する長辺側下フランジ１３と、長辺側下フランジ１３の下面から下方に突出し、長辺側軸受部８に軸支される略Ｔ字状の長辺側ヒンジ部１４とを備えている。加えて、長辺側側壁部６には、長辺側ベース板１１の内面の両側部から突出する係止壁１７が設けられている。各係止壁１７には、長辺側側壁部６の横幅方向において貫通する挿入孔１８が形成されている。
【００２５】
また、各短辺側側壁部７は、短辺側土台部５の長手方向における長さとほぼ同じ横幅を有し、折畳み容器１の組立状態において当該短辺側側壁部７の内面を構成する略平板状の短辺側ベース板２１と、短辺側ベース板２１の上辺部から外方に延出する短辺側上フランジ２２と、短辺側ベース板２１の下辺部から外方に延出する短辺側下フランジ２３と、短辺側下フランジ２３の下面から下方に突出し、短辺側軸受部９に軸支される略Ｔ字状の短辺側ヒンジ部２４とを備えている。
【００２６】
また、短辺側側壁部７の外面側には、両側部において、短辺側ベース板２１の外面から突出する挿入突起２５が設けられている。挿入突起２５は、前記長辺側側壁部６の係止壁１７に形成された挿入孔１８に対応して設けられている。そして、長辺側側壁部６を起立させた後、短辺側側壁部７を起立させることで、挿入突起２５が挿入孔１８に挿入されるとともに、短辺側ベース板２１の挿入突起２５の周辺部が、係止壁１７に支持されるようになっている。
【００２７】
さらに、短辺側側壁部７の外面側には、短辺側上フランジ２２の下方において、短辺側側壁部７の内倒れ等を防止するためのロック機構２６が設置されている。ロック機構２６は、短辺側側壁部７の横幅方向中央部に設けられた操作部２７と、操作部２７の両側方において短辺側側壁部７の横幅方向に沿ってスライド可能に構成されたスライド片２８とを備えている。
【００２８】
これに対し、長辺側側壁部６には、折畳み容器１の組立状態において、スライド片２８の先端部の内面と係止される係止凸部２９（図３、図５参照）が設けられている。また、操作部２７を操作することによって、一対のスライド片２８が連動し、スライド片２８と係止凸部２９との係止状態を解除することができるようになっている。尚、スライド片２８及び操作部２８については、図示しない弾性片によって、スライド片２８と係止凸部２９との係止状態が維持される側に付勢されている。
【００２９】
また、図２等に示すように、底壁構成部２には、底壁部３から下方に突出し、折畳み容器１を床面に設置した場合に、床面に接地して折畳み容器１を支持する支持リブ３１が設けられている。本実施形態の支持リブ３１は、底壁部３のうち上面側において長辺側土台部４及び短辺側土台部５が形成されている土台形成範囲３２よりも内周側の部位の下面から下方に突出するメインリブ３３と、前記土台形成範囲３２のうち底壁部３の各コーナー部に対応する部位から下方に突出するコーナーリブ３４とを備えている。メインリブ３３、及び、４つのコーナーリブ３４は一繋がりに形成されており、支持リブ３１全体としては、メインリブ３３、及び、４つのコーナーリブ３４の外周縁を画定する外周リブ３５と、外周リブ３５の内周側において略格子状に設けられる内周リブ３６とを備えている。コーナーリブ３４は、底壁部３の外周縁よりも底壁部３の内周側に変位した位置に設けられている。
【００３０】
さて、図１、図３〜図５等に示すように、本実施形態の長辺側側壁部６は、長辺側ベース板１１の両方の側辺部に沿って延び、長辺側ベース板１１から外方に突出するとともに、長辺側側壁部６の内面側に開口する横断面略コ字状の補強リブ４１を備えている。本実施形態では、長辺側ベース板１１の各側辺部から、それぞれ短辺側側壁部７の厚み程度の距離を長辺側側壁部６の横幅方向中央部側に変位した位置に設けられる一対の第１補強リブ４２と、前記各第１補強リブ４２から、それぞれ長辺側側壁部６の横幅方向中央部側に向けて、第１補強リブ４２の横幅程度の距離を変位した位置に設けられる一対の第２補強リブ４３とを備えている。
【００３１】
また、各第１補強リブ４２、及び、第２補強リブ４３は、長辺側側壁部６の高さ方向に沿って延び、長辺側ベース板１１から外方に突出する一対の縦リブ４５と、一対の縦リブ４５の突出方向先端部間を連結する連結リブ４６とを備えている。本実施形態では、長辺側ベース板１１のうち、各補強リブ４１の一対の縦リブ４５間の部位が切欠かれるようにして構成されることで、各補強リブ４１が長辺側側壁部６の内面側に開口するようになっている。
【００３２】
さらに、各補強リブ４１の一対の縦リブ４５間の距離は、短辺側側壁部７の厚み程度とされており、縦リブ４５の長辺側ベース板１１からの突出長は、長辺側上フランジ１２や長辺側下フランジ１３の長辺側ベース板１１からの突出長と同じとされている。加えて、各補強リブ４１には、一対の縦リブ４５と、連結リブ４６との間を連結する補助リブ４７が、上下方向において所定間隔毎に設けられている。
【００３３】
さて、図１、図４等に示すように、本実施形態では、長辺側上フランジ１２のうち、長辺側側壁部６の横幅方向中央部を含む一対の第２補強リブ４３間の部位である中間構成部位５１は、組立状態にある折畳み容器１同士を上下に積み重ねた（段積みした）場合に、上側に重ねられた折畳み容器１の底壁構成部２の底壁部３から下方に離間するように構成されている。その一方で、長辺側上フランジ１２のうち、中間構成部位５１の両側方の部位であり、前記補強リブ４１の上方に位置する補強対応部位５２は、組立状態にある折畳み容器１を段積みした場合に、上側に重ねられた折畳み容器１の底壁構成部２と当接して、該折畳み容器１を支持するように構成されている。
【００３４】
より具体的に説明すると、図１に示すように、各補強対応部位５２は、折畳み容器１の組立状態において、短辺側側壁部７の短辺側上フランジ２２と高さ位置が同じとされる上支持部５３を備えている。これに対して、中間構成部位５１は、上支持部５３よりも高さ位置が低く構成されている。本実施形態では、中間構成部位５１が、上支持部５３よりも、長辺側上フランジ１２の厚み程度の距離を下方に変位した位置に設けられている（図４参照）。
【００３５】
さらに、長辺側上フランジ１２は、補強対応部位５２の上支持部５３と、中間構成部位５１との間を連結する連結部５４を備えている。連結部５４は、上支持部５３の端縁から下方に向けて長辺側側壁部６の横幅方向中央部側に傾斜して延び、中間構成部位５１の端縁と連結されている。本実施形態では、中間構成部位５１の上面と、連結部５４とのなす角度が、１５０度〜１６０度程度とされている。加えて、図４に示すように、長辺側側壁部６の横幅方向において、連結部５４の上支持部５３との連接部の位置は、第２補強リブ４３の一対の縦リブ４５のうち、長辺側側壁部６の横幅方向中央部側の縦リブ４５である内側リブ５５の長辺側側壁部６の横幅方向中央部側の面と同じ位置とされている。
【００３６】
また、図１に示すように、長辺側上フランジ１２及び短辺側上フランジ２２の長手方向両端部には、組立状態にある折畳み容器１を段積みした場合に、上側の折畳み容器１の底壁構成部２のコーナーリブ３４が挿入される挿入凹部５６が形成されている。長辺側上フランジ１２に関しては、挿入凹部５６が、補強対応部位５２において形成され、挿入凹部５６と、中間構成部位５１との間に、上支持部５３及び連結部５４が存在するように構成されている。
【００３７】
さらに、本実施形態では、支持リブ３１（コーナーリブ３４）の底壁部３からの突出長と、挿入凹部５６の深さ（長辺側上フランジ１２の上支持部５３の上面、及び、短辺側上フランジ２２の上面から、挿入凹部５６の底面までの距離）とが同じとされている。そして、組立状態の折畳み容器１を段積みした場合、上側の折畳み容器１のコーナーリブ３４が、下側の折畳み容器１の挿入凹部５６に挿入されて、当該挿入凹部５６の底面に当接するとともに、下側の折畳み容器１の上支持部５３が、上側の折畳み容器１の底壁部３の土台形成範囲３２の下面に当接するように構成されている（図４参照）。但し、図４、図６に示すように、組立状態の折畳み容器１を段積みしても、下側の折畳み容器１の中間構成部位５１の上面と、上側の折畳み容器１の底壁部３の下面との間には隙間が形成され、両者が当接しないように構成されている。
【００３８】
尚、組立状態の折畳み容器１を段積みした場合、上側の折畳み容器１のメインリブ３３は、下側の折畳み容器１の側壁部６、７の内周側に挿入されることとなる。このため、上側の折畳み容器１が下側の折畳み容器１に対して水平方向に相対変位しようとした場合には、上側の折畳み容器１のメインリブ３３の外周面が、下側の折畳み容器１の側壁部６、７（特に、上支持部５３や、短辺側上フランジ２２に対応する部位）の内面に当接し、段積みされた折畳み容器１同士の水平方向における位置ずれが防止されるようになっている。
【００３９】
また、上記のように、コーナーリブ３４は、底壁部３の外周縁よりも内周側に変位した位置に設けられている（図２参照）。これに対応して、図１に示すように、長辺側上フランジ１２及び短辺側上フランジ２２の長手方向両端部には、挿入凹部５６に挿入されたコーナーリブ３４のうち底壁部３の外周側の面を囲うようにして設けられる被覆リブ５７が設けられている。このため、折畳み容器１の組立状態において、挿入凹部５６は、上方、及び、折畳み容器１の内周側に開口した格好となる。加えて、被覆リブ５７の上辺部は、上支持部５３の上面や、短辺側上フランジ２２の上面と同じ高さに構成されるとともに、長辺側側壁部６に設けられた被覆リブ５７は、上支持部５３と連結され、短辺側側壁部７に設けられた被覆リブ５７は短辺側上フランジ２２と連結されている。
【００４０】
さらに、本実施形態では、平面視略Ｌ字状の挿入凹部５６の両端縁は、長辺側ベース板１１や短辺側ベース板２１に対して直交して延在するのではなく、長辺側側壁部６、又は、短辺側側壁部７の外面側から内面側に向けて、長辺側側壁部６、又は、短辺側側壁部７の横幅方向中央部側に傾斜して延びている。特に、長辺側側壁部６に関しては、挿入凹部５６のうち長辺側側壁部６の横幅方向中央部側の端縁、つまり、上支持部５３との境界部（上支持部５３と、挿入凹部５６の底面との間を連結する略鉛直方向に延びるリブ）が、第２補強リブ４３の一対の縦リブ４５のうち長辺側側壁部６の側辺部側の縦リブ４５（内側リブ５５ではない方）である外側リブ５８の上方において、該外側リブ５８に対して交差するようにして延びている。
【００４１】
また、図１、図４、図５等に示すように、長辺側側壁部６には、長辺側側壁部６の横幅方向中央部において、長辺側側壁部６の高さ方向に延び、長辺側ベース板１１から外方に突出するとともに、長辺側側壁部６の内面側に開口する横断面略コ字状の第１中間リブ６１が設けられている。さらに、第１中間リブ６１の一側方（本例では、長辺側側壁部６の外面を正面に見て右方）には、第１中間リブ６１、及び、第２補強リブ４３から離間した位置において、長辺側側壁部６の高さ方向に延び、長辺側ベース板１１から外方に突出するとともに、長辺側側壁部６の内面側に開口する横断面略コ字状の第２中間リブ６２が設けられている。第１中間リブ６１、及び、第２中間リブ６２は、長辺側上フランジ１２の中間構成部位５１の下面と、長辺側下フランジ１３の上面との間を連結するようにして設けられている。
【００４２】
さらに、長辺側側壁部６の外面側には、中間構成部位５１から下方に所定距離を隔てた位置において、第１中間リブ６１と第２中間リブ６２との間を連結するようにして、中間構成部位５１と平行して延びる持ち手部６３が設けられている。加えて、図１に示すように、長辺側上フランジ１２には、中間構成部位５１のうち持ち手部６３の上方に対応する部位（第１中間リブ６１と第２中間リブ６２との間の部位）において、上面に対し、その他の部位とは見た目を異ならせる加工（本例ではシボ加工）が施された標識部６４が設けられている。これにより、組立状態にある折畳み容器１を横から見て持ち手部６３の位置を直接確認しなくても、折畳み容器１を上方から視認するだけで、持ち手部６３の位置を認識することができる。従って、本実施形態のように、持ち手部６３の位置が、長辺側側壁部６の横幅方向中央部からずれた位置に設けられていても、持ち手部６３の位置を間違えることなく迅速に手を掛けることができる。
【００４３】
また、図１、図７に示すように、長辺側側壁部６の外面側には、第１中間リブ６１を挟んで、持ち手部６３や第２中間リブ６２が設けられた領域とは反対側の領域（本例では、長辺側側壁部６の外面を正面に見て左方の領域）において、ラベル６５を取着可能なラベル取着部６６が設けられている。ラベル取着部６６は、長辺側ベース板１１の外面において所定面積の平面部位を確保することによって構成されており、さらに、本実施形態では、起立位置にある長辺側側壁部６の外面に隣接する長辺側土台部４においても、外面を一段凹ませることによってラベル取着部６７が形成されている。また、長辺側下フランジ１３のうちラベル取着部６６に対応する部位の長辺側ベース板１１からの突出長は、その他の部位に比べて短く構成されている。そして、例えば、起立位置にある長辺側側壁部６のラベル取着部６６と、長辺側土台部４のラベル取着部６７とにかけてラベル６５（図７参照）を取着することができるようになっている。
【００４４】
尚、長辺側土台部４の上面の長手方向両端部には、折畳み状態にある折畳み容器１を段積みした場合に、上側の折畳み容器１のコーナーリブ３４を挿入可能な折畳み時挿入凹部６８（図１参照）が形成されている。そして、折畳み状態にある折畳み容器１を段積みした場合、上側の折畳み容器１のメインリブ３３が、一対の長辺側土台部４の間の空間に挿入され、上側の折畳み容器１のコーナーリブ３４が折畳み時挿入凹部６８に挿入されるようになっている。
【００４５】
以上詳述したように、本実施形態によれば、組立状態にある折畳み容器１同士を段積みした場合に、下側の折畳み容器１の長辺側側壁部６の中間構成部位５１と、上側の折畳み容器１の底壁構成部２の底壁部３（土台形成範囲３２）との間に隙間を形成することができる。その一方で、長辺側側壁部６の両側部位には、長辺側ベース板１１の両方の側辺部に沿って延び、長辺側ベース板１１から外方に突出するとともに、長辺側側壁部６の内面側に開口する横断面略コ字状の補強リブ４１（本例では、一対の第１補強リブ４２、及び、第１補強リブ４２よりも長辺側側壁部６の横幅方向中央部側に配置される一対の第２補強リブ４３）が設けられている。
【００４６】
従って、組立状態にある折畳み容器１を段積みした場合に、上側の折畳み容器１から長辺側側壁部６に掛けられた荷重を、補強対応部位５２及び補強リブ４１で確実に支持することができるとともに、長辺側側壁部６の横幅方向中央部付近に応力が作用してしまうといった事態を防止することができる。結果として、組立状態にある折畳み容器１を段積みした状態における長辺側側壁部６の変形を防止することができ、長辺側側壁部６の変形に起因して、折畳み容器１の段積み状態の不安定化を招いてしまったり、長辺側側壁部６の外面側に取着されたラベル６５が外れたり、見え難くなってしまったりする等の不具合を回避することができる。さらに、長辺側側壁部６の塑性変形に起因して、折畳み容器１を折畳むことができなくなってしまったり、折畳めたとしても、長辺側側壁部６の変形に起因して、折畳み状態にある折畳み容器１の段積みを行うことができなくなってしまったりする等の不具合を払拭することができる。
【００４７】
尚、短辺側側壁部７よりも横幅が広い長辺側側壁部６の横幅方向中央部付近の部位は、短辺側側壁部７との連結部位から離れているため、折畳み容器１のなかでも変形し易い部位（ウイークポイント）であると言える。この点、上記のように、長辺側側壁部６に作用する荷重を長辺側側壁部６の両側部位（ストロングポイント）で受けきってしまい、長辺側側壁部６の横幅方向中央部を含む部位に応力が作用することを抑制することによって、長辺側側壁部６の横幅方向中央部を含む部位の変形、ひいては、長辺側側壁部６全体の変形を防止することができる。
【００４８】
さらに、補強リブ４１は、長辺側側壁部６の内面側に開口する横断面コ字状に構成されていることから、例えば、長辺側ベース板１１の外面から外方に突出するリブのみを設けるような場合に比べ、長辺側ベース板１１の外面から外方に突出するリブの先端部側の変形をより確実に抑止することができる。従って、補強リブ４１やその周辺部の剛性をより一層高めることができ、長辺側側壁部６の変形を防止するといった作用効果がより確実に奏されることとなる。
【００４９】
また、本実施形態では、中間構成部位５１の端縁と、該中間構成部位５１よりも高い位置にある上支持部５３の端縁との間を連結する連結部５４が斜めに延在するように構成されている。このため、組立状態にある折畳み容器１の段積み作業に際して、下側の折畳み容器１に対し、上側に載せた折畳み容器１の底壁構成部２の長手方向における相対位置がずれた場合、或いは、意図的にずらして載せた場合に、上側に載せた折畳み容器１を、下側の折畳み容器１の長辺側側壁部６の上辺部（長辺側上フランジ１２の上面）に滑らせるようにして、相対位置が合致するまでスライドさせる（スライドスタックする）ことが可能となる。すなわち、上側の折畳み容器１のコーナーリブ３４が、下側の折畳み容器１の中間構成部位５１に載せられるようにして、上側の折畳み容器１が下側の折畳み容器１に積まれてから、水平方向に押圧されることによって、上側の折畳み容器１のコーナーリブ３４は、下側の折畳み容器１の中間構成部位５１の上面を摺動した後、連結部５４に案内されて斜め上方に変位するとともに、上支持部５３の上面を摺動して、挿入凹部５６に挿入されるような格好となる。従って、長辺側上フランジ１２において、中間構成部位５１と、上支持部５３との間に高低差が存在する構成であっても、折畳み容器１を底壁構成部２の長手方向に沿って円滑にスライドスタックすることができ、段積み作業性の向上等を図ることができる。
【００５０】
さらに、上支持部５３と、連結部５４とでなす角度が比較的緩やかになることによって、上支持部５３と連結部５４との境界部に対して応力が集中したり、該境界部に対して別の折畳み容器１等が衝突して双方が損傷したりすること等を抑制することができ、結果として、耐久性の向上等を図ることができる。
【００５１】
また、本実施形態では、長辺側上フランジ１２及び短辺側上フランジ２２の長手方向両端部において、組立状態にある折畳み容器１を段積みした場合に、上側の折畳み容器１のコーナーリブ３４の挿入を許容する挿入凹部５６が設けられている。そして、本実施形態では、組立状態にある折畳み容器１の段積み状態において、下側の折畳み容器１の上支持部５３の上面、及び、挿入凹部５６の底面が、上側の折畳み容器１の底壁部３の下面、及び、コーナーリブ３４の下面と当接して、該上側の折畳み容器１を支持するように構成されている。
【００５２】
かかる構成に対し、本実施形態によれば、長辺側側壁部６の横幅方向において、連結部５４の上支持部５３との連接部の位置が、第２補強リブ４３の内側リブ５５の長辺側側壁部６の横幅方向中央部側の面と同じ位置となるように構成されている。さらに、長辺側側壁部６において、挿入凹部５６と、上支持部５３との境界部（上支持部５３と、挿入凹部５６の底面との間を連結する略鉛直方向に延びるリブ）が、第２補強リブ４３の外側リブ５８の上方において、該外側リブ５８に対して交差するようにして延びている。
【００５３】
従って、上支持部５３の下方には、第２補強リブ４３が適切に配置されて、上支持部５３に加えられた荷重を、第２補強リブ４３でより確実に支持することができる。さらに、長辺側側壁部６における挿入凹部５６の下方には、第２補強リブ４３の外側リブ５８、及び、第１補強リブ４２が適切に配置されて、挿入凹部５６の底面に加えられた荷重を、第１補強リブ４２及び第２補強リブ４３でより確実に支持することができる。このため、例えば、長辺側側壁部６の横幅方向において、上支持部５３と連結部５４との境界部や、上支持部５３と挿入凹部５６との境界部が、第２補強リブ４３の一対の縦リブ４５間に位置するような場合に比べて、該境界部付近の変形をより確実に防止することができる。また、例えば、挿入凹部５６の下方に補強リブ４１が存在しないような構成に比べ、挿入凹部５６の底面やその周辺部が変形する等の事態をより確実に防止することができる。
【００５４】
加えて、本実施形態では、各補強対応部位５２において、中間構成部位５１よりも高さ位置が高く構成された上支持部５３が、挿入凹部５６よりも長辺側側壁部６の横幅方向中央部側に設けられ、組立状態にある折畳み容器１の段積み状態においては、上側の折畳み容器１の底壁部３の下面に当接して、挿入凹部５６の底部とともに、上側の折畳み容器１を支持するように構成されている。このため、組立状態にある折畳み容器１の段積み状態において、下側の折畳み容器１の中間構成部位５１を、上側の折畳み容器１の底壁部３（長辺部に対応する土台形成範囲３２）から確実に離間させるとともに、上側の折畳み容器１の底壁部３（長辺部に対応する土台形成範囲３２）の下方への変形をより確実に規制することができる。従って、上側の折畳み容器１の底壁部３が、下側の折畳み容器１の中間構成部位５１に圧接するといった事態をより一層抑制することができる。
【００５５】
また、本実施形態では、中間構成部位５１の下方位置においても、長辺側側壁部６の高さ方向に延び、長辺側ベース板１１から外方に突出するとともに、長辺側側壁部６の内面側に開口する横断面略コ字状の第１中間リブ６１、及び、第２中間リブ６２が設けられている。このため、中間構成部位５１に対して直接上方からの力が加えられた場合であっても、長辺側側壁部６の中央部を含む部位の変形を防止することができる。従って、長辺側側壁部６の変形をより確実に防止することができる。
【００５６】
尚、ここで言う「中間構成部位５１に対して直接上方からの力が加えられた場合」とは、所定の事情により、中間構成部位５１に対応する部分で荷重を支持しなければならなくなった場合であり、例えば、作業者が中間構成部位５１の上面に手を置いて体重を掛けた場合や、組立状態にある折畳み容器１を段積みした場合であって、上側の折畳み容器１の底壁部３が比較的大きく変形して、下側の折畳み容器１の中間構成部位５１に圧接した場合や、折畳み容器１を設置したパレットの変形に起因して、折畳み容器１のうち補強リブ４１に対応する部位の支持を失ってしまった場合等が挙げられる。
【００５７】
また、第１補強リブ４２や第２補強リブ４３の下方には、支持リブ３１のコーナーリブ３４が設けられ、折畳み容器１が床面に設置された場合には、コーナーリブ３４が床面に接地し、折畳み容器１を段積みした場合には、上側の折畳み容器１のコーナーリブ３４が、下側の折畳み容器１の挿入凹部５６の底面に当接するように構成されている。このため、荷重を受けた第１補強リブ４２や第２補強リブ４３を底壁構成部２によってより確実に支持することができ、例えば、コーナーリブ３４が省略された場合のように、底壁部３の土台形成範囲３２のコーナー部（第１補強リブ４２や第２補強リブ４３の下方に対応する部位）が変形してしまうといった事態を防止することができる。従って、底壁部３のコーナー部の変形に起因して側壁部６、７が変形し易くなってしまうといった事態を回避することができる。
【００５８】
尚、上記実施形態の記載内容に限定されず、例えば次のように実施してもよい。勿論、以下において例示しない他の応用例、変更例も当然可能である。
【００５９】
（ａ）上記実施形態では、支持リブ３１（コーナーリブ３４）の底壁部３からの突出長と、挿入凹部５６の深さとが同じに構成されているが、コーナーリブ３４の突出長の方が若干長くなるよう構成してもよい。この場合、組立状態の折畳み容器１を段積みした場合には、上側の折畳み容器１のコーナーリブ３４が、下側の折畳み容器１の挿入凹部５６の底面に当接するとともに、少なくとも上側の折畳み容器１の底壁部３のうち長辺部に対応する土台形成範囲３２が若干下方に変形した場合に、下側の折畳み容器１の上支持部５３が、上側の折畳み容器１の底壁部３の土台形成範囲３２の下面に当接することにより、上側の折畳み容器１が下側の折畳み容器１に支持されることとなる。
【００６０】
（ｂ）また、上記実施形態において、コーナーリブ３４、及び、挿入凹部５６を省略することとしてもよい。この場合、補強対応部位５２の全体が上支持部５３となるような格好となり、組立状態にある折畳み容器１の段積み状態においては、下側の折畳み容器１の長辺側側壁部６の補強対応部位５２の全体が、上側の折畳み容器１の底壁部３の土台形成範囲３２の下面と当接することとなる。
【００６１】
尚、コーナーリブ３４を省略する場合には、土台形成範囲３２の変形を抑止するべく、土台形成範囲３２の下面、特に、補強リブ４１の下方に対応する部位の下面から突出する凸部を設けることが望ましい。その一方で、コーナーリブ３４が設けられるとともに、コーナーリブ３４の底壁部３からの突出長が、中間構成部位５１の上面と、中間構成部位５１の上面よりも下方に位置する挿入凹部５６の底面との間の距離よりも長く構成される場合には、上支持部５３を省略しても、折畳み容器１の段積み状態において、下側の折畳み容器１の中間構成部位５１と、上側の折畳み容器１の底壁部３との間を離間させることが可能である。但し、上支持部５３を設けることによって、組立状態にある折畳み容器１の段積み状態において、上側の折畳み容器１の底壁部３の長辺部に対応する土台形成範囲３２の変形をより確実に抑制することができるとともに、段積みされた折畳み容器１が底壁構成部２の短手方向において位置ずれしそうになった場合に、上側の折畳み容器１のメインリブ３３の外周面を、下側の折畳み容器１の長辺側側壁部６のうち上支持部５３に対応する部位の内面でより確実に支持することができる。
【００６２】
（ｃ）上記実施形態では、長辺側側壁部６の横幅方向において、連結部５４の上支持部５３との連接部の位置は、第２補強リブ４３の一対の縦リブ４５のうち、長辺側側壁部６の横幅方向中央部側の縦リブ４５である内側リブ５５の長辺側側壁部６の横幅方向中央部側の面と同じ位置に設けられているが、内側リブ５５の長辺側側壁部６の横幅方向中央部側の面よりも長辺側側壁部６の横幅方向中央部側に位置するように構成してもよい。尚、連結部５４の角度は特に限定されるものではないが、折畳み容器１のスライドスタックをスムースに行うことができるように、比較的緩やかに傾斜していることが望ましい。
【００６３】
（ｄ）上記実施形態において、第１補強リブ４２、及び、第２補強リブ４３のうち一方を省略することとしてもよい。また、第１補強リブ４２、及び、第２補強リブ４３の他にも、補強リブ４１を設けることとしてもよい。尚、補強リブ４１は、組立状態にある折畳み容器１を段積みした場合に、上側の折畳み容器１を支持することとなる補強対応部位５２の下方に配置されることとする。
【００６４】
（ｅ）上記実施形態において、第１中間リブ６１、及び、第２中間リブ６２の形成位置は特に限定されるものではなく、折畳み容器１毎に、ラベル取着部６６や持ち手部６３等の配置や、折畳み容器１の大きさ等に応じて適宜変更可能である。さらに、第１中間リブ６１、及び、第２中間リブ６２のうち一方、又は、両方を省略することも可能である。
【００６５】
（ｆ）上記実施形態では、長辺側土台部４の底壁部３からの突出長が、短辺側土台部５の底壁部３からの突出長よりも長く、折畳み容器１の折畳み状態において、短辺側側壁部７が、長辺側側壁部６の下方に折り畳まれるように構成されているが、短辺側土台部５の突出長の方を長くして、短辺側側壁部７が長辺側側壁部６の上方に折り畳まれるように構成してもよい。
【００６６】
（ｇ）上記実施形態では、折畳み容器１はポリプロピレンにより構成されているが、ポリエチレン、ＰＥＴ、ポリアミド等その他の樹脂材料により構成されることとしてもよい。
【符号の説明】
【００６７】
１…折畳み容器、２…底壁構成部、３…底壁部、４…長辺側土台部、５…短辺側土台部、６…長辺側側壁部、７…短辺側側壁部、１１…長辺側ベース板、１２…長辺側上フランジ、３１…支持リブ、３２…土台形成範囲、３３…メインリブ、３４…コーナーリブ、４１…補強リブ、４２…第１補強リブ、４３…第２補強リブ、４５…縦リブ、４６…連結リブ、５１…中間構成部位、５２…補強対応部位、５３…上支持部、５４…連結部、５５…内側リブ、５６…挿入凹部、６１…第１中間リブ、６２…第２中間リブ、６５…ラベル。
【図１】
2016199296.tif 000003
【図２】
2016199296.tif 000004
【図３】
2016199296.tif 000005
【図４】
2016199296.tif 000006
【図５】
2016199296.tif 000007
【図６】
2016199296.tif 000008
【図７】
2016199296.tif 000009